(57)【要約】【課題】容易に製作できる写真を貼設した首振り人形の構造を提供する。【解決手段】主に揺動装置１と写真２とから構成されている。揺動装置１には揺動部材１１が設けられ、電源を入れたとき、電磁コイルによって左右に揺動する。揺動装置１の本体前端１２には身体形状写真２１が貼設されており、揺動装置１の揺動部材１１には接続部材２２が接続され、接続部材２２の前端には頭部形状写真２３が貼設されている。頭部形状写真２３と身体形状写真２１とは階層状を呈し、両者は平行に設置されている。揺動装置１の電源を入れたとき、揺動部材１１が左右に揺動し始め、同時に接続部材２２を通じて頭部形状写真２３も左右に揺動する。頭部形状写真２３と身体形状写真２１との組合せによって首振り人形が構成され、上述の構造によって使用者は生き生きとした独創性ある写真を貼設した首振り人形を容易に製作できる。【選択図】  図２
0003114687.tif 000002
【実用新案登録請求の範囲】
【請求項１】
揺動装置と、写真とから構成されており、
前記揺動装置は内部に左右に揺動する揺動部材が枢設され、前記揺動装置上には本体前端が設けられており、
前記写真は身体形状写真および頭部形状写真からなり、前記身体形状写真は前記本体前端に貼設され、前記頭部形状写真は前記揺動部材上に貼設され、前記身体形状写真と前記頭部形状写真とはお互いに平行且つ階層状に設置されていることを特徴とする写真を貼設した首振り人形の構造。
【請求項２】
前記揺動装置には電源供給器が設けられ、必要な電源が供給されることを特徴とする請求項１記載の写真を貼設した首振り人形の構造。
【請求項３】
前記揺動装置には太陽エネルギー電源が設けられ、必要な電源が供給されることを特徴とする請求項１記載の写真を貼設した首振り人形の構造。
【請求項４】
前記揺動装置内には揺動部材を左右に揺動させる電磁コイルが設けられていることを特徴とする請求項１記載の写真を貼設した首振り人形の構造。
【請求項５】
前記身体形状写真は漫画スタイルの写真であることを特徴とする請求項１記載の写真を貼設した首振り人形の構造。
【請求項６】
前記揺動部材と頭部形状写真との間には接続部材が接続されていることを特徴とする請求項１記載の写真を貼設した首振り人形の構造。
【請求項７】
前記接続部材は口型を呈していることを特徴とする請求項６記載の写真を貼設した首振り人形の構造。
【請求項８】
前記頭部形状写真および身体形状写真は人物写真であることを特徴とする請求項１記載の写真を貼設した首振り人形の構造。
【請求項９】
前記頭部形状写真および身体形状写真はペットの写真であることを特徴とする請求項１記載の写真を貼設した首振り人形の構造。
【考案の詳細な説明】
【技術分野】
【０００１】
本考案は写真を貼設した首振り人形の構造に関し、特に写真と揺動装置との組合せだけで、簡単に生き生きとした、個性的な、写真を貼設した首振り人形を製作できる構造に関する。
【背景技術】
【０００２】
週休二日制の実施によって旅行する人が増加しており、旅行時には記念に写真を撮り、撮った後で現像したり、インターネット上で公開する人が多いが、現像した写真にしても、インターネット上で公開された写真にしても、観賞する以外に利用方法がなく、子供が誕生したり、ペットを飼っていたりするときでも、それらの写真をより生き生きとさせたり、可愛くさせたりすることはできなかった。
【０００３】
本考案の考案者は上述の欠点に鑑み、長年に渡る研究と改良を経てついに本考案の写真を貼設した首振り人形を案出した。
【考案の開示】
【考案が解決しようとする課題】
【０００４】
本考案の第１の目的は、写真と揺動装置とを組合わせるだけで製作できる独創性のある写真を貼設した首振り人形の構造を提供することにある。
本考案の第２の目的は、構造が簡単で、製作が容易にできる写真を貼設した首振り人形の構造を提供することにある。
本考案の第３の目的は、操作が容易にできるなど多くの長所を有する写真を貼設した首振り人形の構造を提供することにある。
【課題を解決するための手段】
【０００５】
上記課題を解決するために、本考案の写真を貼設した首振り人形は、主に揺動装置と写真とから構成されている。揺動装置には揺動部材が設けられ、電源を入れたとき、電磁コイルによって左右に揺動する。揺動装置の本体前端には身体形状写真が貼設されており、揺動装置の揺動部材には接続部材が接続され、接続部材の前端には頭部形状写真が貼設されている。頭部形状写真と身体形状写真とは階層状を呈し、両者は平行に設置されている。揺動装置の電源を入れたとき、揺動部材が左右に揺動し始め、同時に接続部材を通じて頭部形状写真も左右に揺動する。頭部形状写真と身体形状写真との組合せによって首振り人形が構成され、上述の構造によって使用者は生き生きとした独創性ある写真を貼設した首振り人形を容易に製作できる。
【考案の効果】
【０００６】
１  本考案は接続部材を設置することによって頭部形状写真と身体形状写真との組合せをより生き生きとさせることができる。
２  本考案の頭部形状写真は身体形状写真よりも大きいので、全体をより可愛く、生き生きとさせることができる。
【考案を実施するための最良の形態】
【０００７】
図１は本考案の写真を貼設した首振り人形の揺動構造を示す斜視図である。図２は本考案の写真を貼設した首振り人形の構造を示す立体分解図である。本考案の写真を貼設した首振り人形は、主に揺動装置１と写真２とから構成されている。揺動装置１には揺動部材１１が設けられ、揺動装置１は電源供給器または太陽エネルギー電源から電源が供給されたとき、電磁コイルまたはその他構造によって揺動部材１１を左右に揺動する。揺動装置１の本体前端１２には身体形状写真２１または漫画スタイルの身体形状写真が貼設されており、揺動装置１の揺動部材１１には接続部材２２が接続され、接続部材２２は口字型とすることができ、接続部材２２の前端には頭部形状写真２３が貼設されており、頭部形状写真２３は身体形状写真２１の前方に位置し、両者は平行且つ階層状に設置されている。頭部形状写真２３は身体形状写真２１よりも大きいので首振り人形をより可愛く、生き生きとさせることができる。
【０００８】
図３は本考案の写真を貼設した首振り人形の完成後の状態を示す斜視図である。図４は本考案の写真を貼設した首振り人形の動作状況を示す斜視図である。揺動装置１の電源を入れたとき、揺動部材１１が左右に揺動し始め、同時に接続部材２２を通じて頭部形状写真２３も左右に揺動する。頭部形状写真２３と身体形状写真２１との組合せによって首振り人形が構成される。上述の構造によって使用者は生き生きとした独創性ある写真を貼設した首振り人形を容易に製作できる。その他、本考案は人物写真以外にペットの写真を使用して製作することもでき、使用範囲をより広げることができ、より生き生きとした表現ができる。
【０００９】
本考案の写真を貼設した首振り人形は従来技術によるものと比較した場合、下記の長所を有する。
１  本考案は接続部材２２を設置することによって頭部形状写真２３と身体形状写真２１との組合せをより生き生きとさせることができる。
２  本考案の頭部形状写真２３は身体形状写真２１よりも大きいので、全体をより可愛く、生き生きとさせることができる。
【００１０】
上述の詳細な説明は本考案の一実施例を示すものであり、本考案の範囲を限定するものでなく、本考案の技術主旨を逸脱しない範囲における同等効果の実施または変更は全て本考案に含まれる。
【図面の簡単な説明】
【００１１】
【図１】本考案の写真を貼設した首振り人形の揺動構造を示す斜視図である。
【図２】本考案の写真を貼設した首振り人形の構造を示す立体分解図である。
【図３】本考案の写真を貼設した首振り人形の完成後の状態を示す斜視図である。
【図４】本考案の写真を貼設した首振り人形の動作状況を示す斜視図である。
【符号の説明】
【００１２】
１    揺動装置
１１  揺動部材
１２  本体前端
２    写真
２１  身体形状写真
２２  接続部材
２３  頭部形状写真
【図１】
0003114687.tif 000003
【図２】
0003114687.tif 000004
【図３】
0003114687.tif 000005
【図４】
0003114687.tif 000006